(57)【特許請求の範囲】
【請求項１】
測定体とカフを備え、
測定体は、測定した血圧値を表示するための表示部を有する表示パネル部と、操作パネル部及び血圧測定用部品を収納した本体部とからなり、
カフはカフ帯とカフ帯を本体へ接続するチューブとからなり、
前記表示パネル部は、前記表示部を有するだけの平板状であって、操作パネル部及び本体部とからなる構成部分に対して上方へ突出して配置され、
前記操作パネル部に配置する操作スイッチは、操作パネル部の前面から後方へ凹んだ凹所の内部に配置されていることを特徴とした電子血圧計。
【請求項２】
表示パネル部と操作パネル部は、本体部の前面に配置され、前面視が同じ幅であるとともに側面視が同じ厚さであり、かつ、上下に連続して一体に形成されており、
前記本体部の前縁が前記操作パネル部の背面と接する状態で、かつ、操作パネル部の側端面と本体部の側面とが段差なく連続し、さらに操作パネル部の側端面と本体部の側面とが明確に判別できる構成となっていることを特徴とする請求項１に記載の電子血圧計。
【請求項３】
カフ収納部をさらに備え、
前記カフ収納部は本体部の後方に配置され、その両側壁が前方に延長されて本体部の側面を覆っていることを特徴とする請求項２に記載の電子血圧計。
【請求項４】
前記本体部を覆うカフ収納部の側壁外面によって、前記操作パネル部の側端面と本体部の側面とが段差なく連続していることを特徴とした請求項３に記載の電子血圧計。
【請求項５】
カフ収納部は、前方に延長された底壁を有し、
測定体は、操作パネル部の後方へ一体に形成されるカバー部を有し、
操作パネル部と前記カバー部及び前記両側壁と前記底壁とで血圧測定用部品を収納して本体部を形成していることを特徴とする請求項４に記載の電子血圧計。
【請求項６】
測定体は、カフ収納部とは別体に形成された右側壁部、左側壁部及び底壁を有し、
両側壁及び前記底壁とで血圧測定用部品を収納する本体部を形成していることを特徴とする請求項３又は４のいずれか一つに記載の電子血圧計。
【請求項７】
前記カフ収納部は測定体に対して着脱可能に構成されていることを特徴とした請求項２〜５のいずれか一つに記載の電子血圧計。
【請求項８】
前記本体部の上面は後方に向かって低く傾斜していることを特徴とする請求項２〜７のいずれか一つに記載の電子血圧計。
【請求項９】
測定体とカフを備え、
測定体は、測定した血圧値を表示するための表示部を有する表示パネル部と、操作パネル部及び血圧測定用部品を収納した本体部とからなり、
カフはカフ帯とカフ帯を本体へ接続するチューブとからなり、
前記表示パネル部は、前記表示部を有するだけの平板状であって、操作パネル部及び本体部とからなる構成部分に対して上方へ突出して配置され、
前記表示パネル部と前記操作パネル部は、本体部の前面に配置され、前面視が同じ幅であるとともに側面視が同じ厚さであり、かつ、上下に連続して一体に形成されており、
前記本体部の前縁が前記操作パネル部の背面と接する状態で、かつ、操作パネル部の側端面と本体部の側面とが段差なく連続し、さらに操作パネル部の側端面と本体部の側面とが明確に判別できる構成となっており、
さらにカフ収納部を備え、
前記カフ収納部は本体部の後方に配置され、その両側壁が前方に延長されて本体部の側面を覆い、
前記測定体は、カフ収納部とは別体に形成された右側壁部、左側壁部及び底壁を有し、
両側壁及び前記底壁とで血圧測定用部品を収納する本体部を形成しており、
カフ収納部の底壁には塵排出孔を形成していることを特徴とした電子血圧計。
【請求項１０】
前記本体部を覆うカフ収納部の側壁外面によって、前記操作パネル部の側端面と本体部の側面とが段差なく連続していることを特徴とした請求項９に記載の電子血圧計。
【発明の詳細な説明】
【技術分野】
【０００１】
本発明は、上腕等に巻き付けたカフ帯の内圧を測定することによって血圧を判定し、その結果を数値として表示パネルに表示する電子血圧計に関する。
【背景技術】
【０００２】
従来、上腕等の動脈が存在する部分にカフ帯を巻き付け、その内圧を測定して一定の処理方式に基いて算出した血圧値を表示画面に表示する小型の血圧計が多数知られている。
【０００３】
例えば、特許文献１には、血圧計本体に立設部を設け、立設部の正面にモニター及び操作スイッチを配置し、立設部の背面側の底部に、横方向に貫通した筒形状のカフ帯収納部を一体に設けた血圧計が記載されている。
【０００４】
また、引用文献２には、血圧計本体と、血圧計本体の背面側に形成されたカフ収納部とを有し、血圧計本体の正面側は、前面が略卵形の球面状に形成され、正面上部に表示部を配設し、その下方に操作部を配設した血圧計が記載されている。
【先行技術文献】
【特許文献】
【０００５】
【特許文献１】特開２００６−１７５０００号公報
【特許文献２】特開２００５−３２３７７９号公報
【発明の概要】
【発明が解決しようとする課題】
【０００６】
引用文献１に記載された血圧計は、立設部にモニターと操作部が横に並べて配置してあり、立設部に表示用部品だけでなく測定用部品、操作スイッチ用回路基板などが内蔵されるため、立設部が厚くなって重苦しい印象となっている。また、モニターと操作部が横に並べて配置されたり血圧計本体の底部背面側にカフ帯収納部が横向きに形成されたりしているため、血圧計本体の横幅及び奥行が大きくなっている。
【０００７】
引用文献２に記載された血圧計は、測定用の部品を内蔵した血圧計本体に表示部が組み込まれているだけでなく、血圧計本体の前面が湾曲しているので、全体が分厚くなっている。しかも、前面が略卵形の球面状に形成されているために、血圧計本体の前面側面積に比して表示画面の面積が小さくなってしまい、表示を見にくいという欠点がある。
【０００８】
本発明が解決しようとする課題は、血圧計が呈する前記のような重苦しい印象や分厚い印象のため、血圧計が露出した状態で室内に置かれていると、すぐに血圧計と判別できてしまい、他の室内調度と違和感を生じてしまう事態を払拭することである。また、広い表示画面を確保し、測定値を見やすい電子血圧計を提供することである。
【課題を解決するための手段】
【０００９】
電子血圧計の全体構造を軽快でコンパクトな印象を与えるものにする。これに伴い表示パネル部を液晶画面などの表示部を有するだけの平板状にすることで広い表示画面を確保する。
【００１０】
すなわち、電子血圧計は測定体とカフを備え、この測定体は、測定した血圧値を表示するための表示部を有する表示パネル部と操作パネル部及び血圧測定用部品を収納した本体部とからなるものとし、カフを、カフ帯とカフ帯を本体へ接続するエアチューブとからなるものとする。  そして、前記表示パネル部は、前記表示部を有するだけの平板状とし、この表示パネル部が前記の操作パネル部及び本体部とからなる構成部分に対して上方へ突出した配置とし、前記操作パネル部に配置する操作スイッチは、操作パネル部の前面から後方へ凹んだ凹所の内部に配置する。
【００１１】
この構成は基本的なものであるが、平板状の表示パネル部を操作パネル部及び本体部に対して上方に突出させたという構成により、軽快でコンパクトな印象を与える。この印象は卓上電子時計などと同様であり、室内に血圧計を常置しても血圧計として認識されにくく、室内調度と違和感を生じてしまうことがない効果がある。さらに、測定体が他のものと接したり、転倒したりしても操作スイッチが不測に操作されてしまうことが少なくなる。
【００１２】
次のように構成することもできる。
表示パネル部と操作パネル部を本体部の前面に配置し、これらを前面視で同じ幅であるとともに側面視で同じ厚さとし、かつ、上下に連続して一体に形成する。また、カフ収納部の前端縁を前記操作パネル部の背面と接する状態で、かつ、操作パネル部の側端面とカフ収納部の側壁外面とを段差なく連続させる。
この構成によれば、表示パネル部と操作パネル部が本体部の前面で一枚の板状に見え、軽快でコンパクトな印象がより明瞭になる。
【００１３】
電子血圧計にカフ収納部を備えた構成とする。カフ収納部は本体部の後方に配置され、その両側壁を前方に延長して本体部の側壁を隠蔽する。
本体部の後方にカフ収納部を配置したことにより、カフ帯を目立たせることなく収納しやすい。
【００１４】
本体部を覆うカフ収納部の側壁外面によって、前記操作パネル部の側端面と本体部の側面とを段差なく連続させる。測定体とカフ収納部との一体感が出るので、軽快でコンパクトな印象が強化される。
【００１５】
測定体における本体部の一部を操作パネル部の後方に形成されたカバー部とすることがある。カバー部は、操作パネル部とカフ収納部の両側壁および底壁とで血圧測定用部品を収納する空間を形成する。
【００１６】
測定体はカフ収納部とは別体に、血圧測定用部品を収納するための本体部を形成する右側壁部、左側壁部及び底壁を有した構成とすることがある。
【００１７】
カフ収納部を測定体に対して着脱可能に構成することがある。
【００１８】
測定体における本体部の上面を後方へ低く傾斜させた構成とすることがある。カフ帯をカフ収納部へ収納するとき、折りたたんだカフ帯の一端を前記の傾斜面で滑らせながら、カフ収納部へ誘導するなどに利用できる。
【００１９】
次のように構成することもできる。
測定体とカフを備え、測定体は、測定した血圧値を表示するための表示部を有する表示パネル部と、操作パネル部及び血圧測定用部品を収納した本体部とからなり、カフはカフ帯とカフ帯を本体へ接続するチューブとからなり、表示パネル部は、表示部を有するだけの平板状であって、操作パネル部及び本体部とからなる構成部分に対して上方へ突出して配置され、表示パネル部と操作パネル部は、本体部の前面に配置され、前面視が同じ幅であるとともに側面視が同じ厚さであり、かつ、上下に連続して一体に形成されており、本
体部の前縁が操作パネル部の背面と接する状態で、かつ、操作パネル部の側端面と本体部の側面とが段差なく連続し、さらに操作パネル部の側端面と本体部の側面とが明確に判別できる構成となっており、さらにカフ収納部を備え、カフ収納部は本体部の後方に配置され、その両側壁が前方に延長されて本体部の側面を覆い、測定体は、カフ収納部とは別体に形成された右側壁部、左側壁部及び底壁を有し、両側壁及び前記底壁とで血圧測定用部品を収納する本体部を形成しており、カフ収納部の底壁には塵排出孔を形成している。
この構成によれば、表示パネル部と操作パネル部が本体部の前面で一枚の板状に見え、軽快でコンパクトな印象がより明瞭になる。
【００２０】
本体部の後方にカフ収納部を配置したことにより、カフ帯を目立たせることなく収納しやすい。また、カフ収納部の底壁に塵排出孔を形成すると、カフ収納部の狭く、比較的深い内部に溜まる塵を排出しやすい。
【００２１】
本体部を覆うカフ収納部の側壁外面によって、前記操作パネル部の側端面と本体部の側面とを段差なく連続させる。測定体とカフ収納部との一体感が出るので、軽快でコンパクトな印象が強化される。
【発明の効果】
【００２２】
平板状の表示パネル部を操作パネル部及び本体部に対して上方に突出させたという構成により軽快でコンパクトな印象を与え、室内に血圧計を常置しても血圧計として認識されにくく、室内調度と違和感を生じてしまうことがない効果がある。
【図面の簡単な説明】
【００２３】
【図１】電子血圧計の斜視図（実施例１）
【図２】測定体の側面図（実施例１）
【図３】測定体の底面図（実施例１）
【図４】測定体とカフ収納体の斜視図（実施例２）
【図５】測定体の斜視図（実施例２）
【図６】測定体底面図（実施例２）
【図７】測定体とカフ収納体の分解斜視図（実施例３）
【図８】組み付けた状態で示す測定体とカフ収納部の側面図（実施例３）
【発明を実施するための形態】
【００２４】
以下、本発明の実施例を図面に基いて詳細に説明する。
図１〜図３は本発明の実施例１を示す。
【００２５】
この電子血圧計１は、図１に示すように、測定体２とカフ３を備える。
測定体２は、表示パネル部４と操作パネル部５及び本体部６とで構成され、カフ３はカフ帯７とエアチューブ８とで構成されている。
【００２６】
表示パネル部４は、上下方向に長い長方形で薄く平板状の部分であり、測定した血圧値を表示するための液晶画面と、表示用配線基板などで形成される表示部９だけを有する。なお、表示パネル部４の厚みは７ｍｍ程度とでき、また、平板状であることによりパネル面積を目いっぱい利用することが可能で、表示部９を大きく設計することができる。
【００２７】
表示パネル部４は操作パネル部５及び本体部６とで構成される部分よりも上方に突出して配置されている。
【００２８】
操作パネル部５は、操作スイッチ１０を配置するための部分であり、操作パネル部５の前面から後方へ凹んだ凹所１１を有する。操作スイッチ１０は、電源スイッチ、スタート・ストップボタンあるいは過去測定値表示などのモード選択ボタン等であり、凹所１１の内部に配置される。
【００２９】
操作パネル部５は本体部６の前面に位置し、前記の表示パネル部４と上下方向で連続して見えるように構成されており、かつ、表示パネル部４と操作パネル部５は前面視で同じ幅であると共に側面視で同じ厚さとされている。
【００３０】
本体部６は、モーターやポンプ、排気弁、これらを制御する制御基板など血圧を測定するのに必要な血圧測定用部品を収納した部分であり、位置として操作パネル部５の背面に配置されている。血圧測定用部品は通常のものであり、説明を省略する。
【００３１】
本体部６は左側壁１２ａにエアチューブ接続口１４（図２）を右側壁１２ｂに電源アダプター用の接続口１３（図１）を備えている。また、本体部６の底壁１５には蓋１６が設けられていて内部の電池を交換できるようになっている。
【００３２】
前記の操作パネル部５と本体部６とは、操作パネル部５の背面に本体部６の両側壁１２ａ，１２ｂの前端面が当接した状態とされ、当接箇所では操作パネル部５の側端面と本体部６の側壁外面とを段差なく連続してある。ただし、操作パネル部５と本体部６とを一体成形により形成するとしても、操作パネル部５の側端面と本体部６の側壁１２ａ，１２ｂとの間には、細い溝や色の違いあるいはテクスチャの違いなどがあって、両部分を明確に視認できるように構成する。
【００３３】
血圧の測定は、カフ帯７を上腕に巻き、エアチューブ８の先端を本体部６のエアチュー
ブ接続口に１４に差し込んだ後、操作スイッチ１０の電源ＯＮと測定開始を兼ねたスタートボタンを押す。すると、電源が入り血圧測定用部品のポンプがカフ帯７内へ空気を送り込み、内圧が所定となったところでポンプが停止する。ついで、排気弁を介してカフ帯７内の空気が徐々に排気される。その過程でセンサがカフ帯７内の心拍に同期した圧力の振動波形を検出し、制御装置によってこの振動波形を解析して、最高血圧値、最低血圧値及び脈拍が算出される。
【００３４】
以上のように、実施例１は、薄く平板状の表示パネル部４が操作パネル部５及び本体部６に対して上方に突出したという構成により軽快でコンパクトな印象を与える。この印象は液晶表示の卓上電子時計などと同様であり、室内に血圧計を常置しても血圧計として認識されにくく、室内調度と違和感を生じてしまうことがない。
【００３５】
操作パネル部５の側端面と本体部６の側壁１２ａ，１２ｂの側壁外面とを明確に区別し、操作パネル部５の側端面を表示パネル部４の厚みと同じ寸法とすることで、表示パネル部４と操作パネル部５との連続性が生まれ、表示パネル部４の薄さや本体部６のコンパクトさが強調され、さらに軽快でシンプルな印象を与え、前記の効果が増強される。
【００３６】
また、操作スイッチ１０は操作パネル部５に形成した凹所１１の内部に配置されているので、測定体２を誤って倒したり、移動させる際にぶつけたりしても、操作スイッチ１０が誤って操作されてしまう恐れがない。
【００３７】
図４〜図６は、実施例２を示す。
【００３８】
実施例２の電子血圧計１は、前記実施例１の測定体２にカフ収納体１７を付加したものである。
【００３９】
カフ収納体１７は、測定体２と別体に成形され、左側壁１８ａ、右側壁１８ｂ底壁１９及び後壁２０を有する。左側壁１８ａには前記のエアチューブ接続口１４を露出させるためのぬき孔２１ａが、右側壁１８ｂには前記電源アダプター用の接続口１３を露出させるためのぬき孔２１ｂが形成されている。また、左右の側壁１８ａ，１８ｂの下端縁には支持リブ２２が内側に張り出し対向して形成されている。支持リブ２２は底壁１９へとつながっている。底壁１９には後端部に塵排出孔２３が形成されている（図６）。
後壁２０には、取手用の孔２４が穿設されている。
【００４０】
両側の側壁１８ａ，１８ｂ間の内面間距離は本体部６の幅とほぼ等しく、前部の高さは本体部６よりもやや高く後部は段違いに前部よりも高く形成されている。本体部６を左右の側壁１８ａ，１８ｂ間に前方から後下方に向かって挿入することによって、測定体２とカフ収納体１７を一体に組み合わせることができる（図５）。
【００４１】
このとき、表示パネル部４と操作パネル部５の幅を本体部６の側壁１２ａ，１２ｂの外面間隔よりもカフ収納体１７の両側壁１８ａ，１８ｂの厚さ分だけ左右に張り出すように構成してあるので、前記両側壁１８ａ，１８ｂの前端面は操作パネル部５の背面に接し、操作パネル部５の側端面とカフ収納体２の両側壁１８ａ，１８ｂの外面との間に段差が生じない。
【００４２】
なお、カフ収納体１７の底壁１９の前端は本体部６の後面に突き当たり、本体部６の後面とカフ収納体１７の両側壁１８ａ，１８ｂ、底壁１９及び後壁２０とで上面が開口したカフ収納部が形成される。
【００４３】
組み付けたカフ収納体１７は測定体２と一体に接着しても良く、着脱自在に構成するこ
ともできる。ただし、いずれの場合も、操作パネル部５の側端面とカフ収納体２の両側壁１８ａ，１８ｂの外面とは細溝や色あるいはテクスチャなどにより、明確に区別できるようにしておく。
【００４４】
以上の構成により、実施例２の電子血圧計１は、実施例１の場合と同様に薄く平板状の表示パネル部４が目立ち、また、前方から見ても側方から見ても測定体２の本体部６はカフ収納体１７の両側壁１８ａ，１８ｂによって完全に隠され、さらに、表示パネル部４の側端面とカフ収納体１７の両側壁１８ａ，１８ｂの間に段差がなく面一なので、シンプルな外観となる。このため、血圧計としての一般的なイメージが払拭される。
【００４５】
加えて、表示パネル部４の側端面と該側端面から連続して形成される操作パネル部５の側端面とがカフ収納体１７の両側壁１８ａ，１８ｂとの間は明確に区別されるので、あたかもカフ収納体１７の前面に表示パネル部４と操作パネル部５からなる一枚のパネルが取り付いているように見え本体部６が隠れるのでコンパクトさが強調され、血圧計のイメージを払拭する前記の効果がより強調される。
【００４６】
カフ３は、使用していないとき、そのカフ帯７を巻き込んでカフ収納部１７に上から差し込んで収納できる（図５）。カフ収納部１７に差し込んだカフ帯７やエアチューブ８は上方に突出した表示パネル部４の後方に隠れるため、目立たないよう整然と収納することができる。このとき、本体部６の上面を後方に低く傾斜させておくと、折り畳んだカフ帯７をカフ収納体１７に収納するとき、傾斜面によってカフ帯７が後方に誘導されて、納めやすい。
【００４７】
なお、カフ帯７は折り畳んだり、巻き込んだりして、カフ収納体１７の両側壁１８ａ，１８ｂに架け渡して収納することもできる。このとき、巻き込んだり折り畳んだりしたカフ帯７は表示パネル部４の背面側と両側壁１８ａ，１８ｂの段違い箇所との間に挟まれた状態で安定する。
【００４８】
図７，図８は実施例３を示す。
【００４９】
実施例３の電子血圧計１は、前記実施例２による電子血圧計１における本体部６をカバー部２５と操作パネル部５とカフ収納体１７の左右両側壁１８ａ，１８ｂ及び底壁１９とで形成する構造である。
【００５０】
カバー部２５は上面部２６とその後縁から下垂した後面部２７を有し、操作パネル部５の後方へ一体に形成されている。カバー部２５は単独で測定用部品を収納することはできない。
【００５１】
また、カフ収納体１７の底壁１９は、操作パネル部５の背面まで延長されている。
【００５２】
カバー部２５の外幅は操作パネル部５の外幅（左右の側端面間）よりもカフ収納体１７の両側壁１８ａ,１８ｂの厚さ分だけ小さく、カフ収納体７の両側壁１８ａ,１８ｂの前端面が操作パネル部５の背面に接しても操作パネル部５の側端面と段差が生じないようにされている。
【００５３】
カフ収納体１７の底壁１９の前部に測定用部品２８（図７）を配置し、上方からカバー部２５で測定用部品２８を覆うようにして表示パネル部４と操作パネル部５及びカバー部２５が一体に形成された部分を組み付け、ネジ等で固定する。このとき、カバー部２５と操作パネル部５とカフ収納体１７の左右両側壁１８ａ，１８ｂ及び底壁１９とで測定用部品２８を収納する内部空間が形成される。組み付けた後の外観は実施例２の場合とほぼ同
じになる。
【００５４】
したがって、実施例２の場合と同様の効果を発揮する。
【符号の説明】
【００５５】
１  電子血圧計
２  測定体
３  カフ
４  表示パネル部
５  操作パネル部
６  本体部
７  カフ帯
８  エアチューブ
９  表示部
１０  操作スイッチ
１１  凹所
１２ａ  本体部の左側壁
１２ｂ  本体部の右側壁
１３  エアチューブ接続口
１４  電源アダプター用の接続口
１５  本体部の底壁
１６  蓋
１７  カフ収納体
１８ａ  カフ収納体の左側壁
１８ｂ  カフ収納体の右側壁
１９  カフ収納体の底壁
２０  後壁
２１ａ，２１ｂ  ぬき孔
２２  支持リブ
２３  取手用の孔
２４  塵排出孔
２５  カバー部
２６  上面部
２７  後面部
２８  測定用部品
【図１】
0005623949.tif 000002
【図２】
0005623949.tif 000003
【図３】
0005623949.tif 000004
【図４】
0005623949.tif 000005
【図５】
0005623949.tif 000006
【図６】
0005623949.tif 000007
【図７】
0005623949.tif 000008
【図８】
0005623949.tif 000009